(57)【要約】  【課題】有効反射面でない所定部位を有効反射面として活用したリフレクタ構造とすることで、光源光を有効利用できる車両用前照灯を提供する。  【解決手段】  ランプボディ11と前面カバー12で画成された灯室Ｓ内に、光源20と、光源光を反射制御する配光形成用の有効反射面14a,14bを設けた合成樹脂製リフレクター14とを備えた前照灯で、リフレクタ14に、離型方向であるリフレクタ14前後方向に対しアンダーカットとなる配光改善用の有効反射面14c,14d;14e,14fを付加して、従来にはない配光を得るとともに、リフレクタ14を左右（上下）二分割したリフレクタ分割体140Ｌ,140Ｒを突き合わせて接合一体化したリフレクターユニット140Ｕ構造にして、アンダーカットを回避した。  【選択図】  図11
2006294506.tif 000002
【特許請求の範囲】
【請求項１】
灯具ボディと前面カバーで画成された灯室内に、光源と、前記光源光を反射制御して所定の配光を形成する有効反射面が設けられたリフレクターとを備えた車両用前照灯において、
前記リフレクターには、離型方向であるリフレクター前後方向に対しアンダーカットとなる配光改善用の新たな有効反射面が付加されるとともに、前記リフレクターは、前記アンダーカットを回避するべく、光源近傍を通る線で二分割されたリフレクター分割体が突き合わされてリフレクターユニットとして接合一体化されたことを特徴とする車両用前照灯。
【請求項２】
前記リフレクターは、左右一対のリフレクター分割体が接合一体化されたリフレクターユニットで構成されたことを特徴とする請求項１に記載の車両用前照灯。
【請求項３】
前記有効反射面は、複数の反射面素子で構成されるとともに、前記反射面素子の見切り線が前記リフレクター分割体間の接合部に沿って延びることを特徴とする請求項１または２に記載の車両用前照灯。
【請求項４】
前記新たな有効反射面は、前記リフレクターユニットの上面壁または/および下面壁に前記左右のリフレクター分割体間接合部と交差するように設けられて、前記光源の直射光を所定方向に反射する一次反射面と、前記リフレクターの側面壁に設けられて、前記一次反射面を介し導かれた光を所定方向に配光する二次反射面とからなる第１の付加有効反射面で構成されたことを特徴とする請求項２または３に記載の車両用前照灯。
【請求項５】
前記二次反射面は、前記リフレクターにおける、前記光源近傍に設けたカットライン形成用遮光部の影が投影される領域に設けられたことを特徴とする請求項４に記載の車両用前照灯。
【請求項６】
前記新たな有効反射面は、前記光源の側方から前方にかけて前記リフレクターユニットの前面開口部左右幅を狭める方向に湾曲して延出する該リフレクターユニットの左右の側縁領域に設けられた第２の付加有効反射面で構成されたことを特徴とする請求項１〜５のいずれかに記載の車両用前照灯。
【発明の詳細な説明】
【技術分野】
【０００１】
本発明は、光源光を反射する配光形成用のリフレクターを備えた車両用前照灯に係り、特に有効反射面として利用されていないリフレクター所定部位を有効反射面として活用して所望の配光を形成する車両用前照灯に関する。
【背景技術】
【０００２】
車両用前照灯は、図１２に示すように、灯具ボディ１と前面カバー２で画成された灯室内に、光源３０を装着したリフレクター４０が収容された構造で、光源光がリフレクター４０の有効反射面４０ａで反射されることで所定の配光が形成される。符号５０は、すれ違いビームのクリアカットライン形成用の遮光シェードである。
【特許文献１】特開平１０−４０７１０号（図２）
【発明の開示】
【発明が解決しようとする課題】
【０００３】
しかし、従来の車両用前照灯では、リフレクター４０の有効反射面４０ａは、主に光源３の背面から側面にかけての領域に設けられて、リフレクター４０の上面壁や下面壁の平坦な反射面４０ｂ，４０ｃは配光形成に寄与しない非有効反射面であって、光源３０の光が有効に利用されているとはいえない。
【０００４】
そこで、発明者は、リフレクター４０の非有効反射面を有効反射面として活用する以下の構成を考えた。第１には、図１３（ａ）に示すように、例えば、非有効反射面であるリフレクター４０の上面壁の反射面４０ｂと有効反射面４０ａではあるが遮光シェード５０の脚５０ａの影となる部位に、互いに協働して所定方向に光を配光する有効反射面４０ａ１，４０ｂ２を設けて、配光の改善を図る構成である。第２には、図１３（ｂ）仮想線で示すように、リフレクター４０の左右の側縁部を内側に廻りこむように湾曲して延出させて、付加した面積４０ａ３相当だけ有効反射面の面積が左右方向に拡大することによる配光量のアップと、有効反射面の左右方向の立体角θ１を拡大することによる照射範囲の左右方向への拡大を図る構成である。
【０００５】
ところが、このような構成では、成形品であるリフレクターの離型方向が図  １３（ａ），（ｂ）白抜き矢印に示す方向であるため、新たに設けようとする有効反射面４０ａ１，４０ａ２，４０ａ３がリフレクターを成形する際のアンダーカットとなって、このリフレクターを成形することができないという問題が発生した。
【０００６】
そこで、発明者は、アンダーカットとなる付加有効反射面４０ａ１を横切るようにリフレクターを左右に二分割した分割体で構成し、左右の分割体を突き合わせてリフレクターユニットとして一体化するという構成を考えた。即ち、左右に二分割したリフレクター分割体をそれぞれ成形する際には、リフレクター分割体と金型とを側方（リフレクターの幅方向）に離型させることで、付加有効反射面４０ａ１，４０ｂ２，４０ａ３がアンダーカットとなることはないし、左右のリフレクター分割体をリフレクターユニットとして接合一体化した後にアルミ蒸着処理することで、アルミ蒸着膜で被覆された接合部が有効反射面としての機能を損ねることもないと考えた。そして、試作品を作成し配光特性を検証したところ、非常に有効であることが確認されたので、本発明を提案するに至ったものである。
【０００７】
本発明は、前記従来技術の問題点に鑑みてなされたもので、その目的は、有効反射面として利用されていない所定部位を有効反射面として活用したリフレクター構造とすることで、光源光を有効利用できる車両用前照灯を提供することにある。
【課題を解決するための手段】
【０００８】
前記目的を達成するために、請求項１に係る車両用前照灯においては、灯具ボディと前面カバーで画成された灯室内に、光源と、前記光源光を反射制御して所定の配光を形成する有効反射面が設けられたリフレクターとを備えた車両用前照灯において、
前記リフレクターに、離型方向であるリフレクター前後方向に対しアンダーカットとなる配光改善用の新たな有効反射面を付加するとともに、前記リフレクターを、前記アンダーカットを回避するべく、光源近傍を通る線で二分割したリフレクター分割体を突き合わせてリフレクターユニットとして接合一体化するように構成した。
【０００９】
（作用）リフレクターに付加された新たな有効反射面（以下、付加有効反射面という）相当だけ、配光が改善される。
また、付加有効反射面は、リフレクター全体を成形する際の離型方向であるリフレクター前後方向に対してアンダーカットとなるものの、光源近傍を通る線で二分割（例えば、上下方向や左右方向に二分割）したリフレクター分割体をそれぞれ成形する際には、リフレクター分割体と金型とをリフレクターの分割方向（上下方向に分割した場合は上下方向、左右方向に分割した場合は左右方向）に離型させることで、付加有効反射面がアンダーカットとなることはない。また、リフレクターユニットは、一対のリフレクター分割体が分割位置で突き合わされて、溶着その他の接合手段によってリフレクターユニットとして接合一体化された後に、表面アルミ蒸着処理が施されているので、平滑なアルミ蒸着膜で被覆されたリフレクター分割体の接合部がリフレクターの有効反射面としての機能を損う（所定の配光の形成を乱す）こともない。
【００１０】
請求項２においては、請求項１に記載の車両用前照灯において、前記リフレクターを、左右一対のリフレクター分割体を接合一体化したリフレクターユニットで構成するようにした。
（作用）例えば、すれ違いビーム形成用のヘッドランプでは、リフレクターにおける光源近傍を通る水平線付近にすれ違いビームのクリアカットライン形成用の有効反射面領域が設けられているため、光源近傍を通る水平線付近でリフレクターを上下に二分割した場合は、カットライン形成用の有効反射面領域が分割される（リフレクター分割体の接合部がカットライン形成用の有効反射面領域にくる）ことになる。このため、一対のリフレクター分割体間の接合部に僅かなズレがあっても、クリアカットラインが二重になる（ボケる）という不具合につながるので、一対のリフレクター分割体間の接合部にズレが生じないように接合一体化する必要があり、非常に困難かつ面倒な作業となる。一方、請求項２では、クリアカットライン形成用の有効反射面領域が設けられていない光源近傍を通る垂直線でリフレクターを二分割する（リフレクター分割体の一方で水平カットラインを形成し、リフレクター分割体の他方で１５度カットラインを形成する）ため、一対のリフレクター分割体間の接合部に僅かなズレがあっても、クリアカットラインが二重になる（ボケる）という不具合がないので、接合一体化する作業が容易である。また、水平カットラインと１５度カットライン間の多少のズレは、エイミングによる修正が可能である。
【００１１】
請求項３においては、請求項１または２に記載の車両用前照灯において、前記有効反射面を複数の反射面素子で構成するとともに、前記反射面素子の見切り線を前記リフレクター分割体間の接合部に沿って延びるように構成した。
（作用）二分割したリフレクター分割体間の接合部には境界線や段差が形成されるおそれがあるが、これらの境界線や段差は、リフレクター分割体間の接合部に沿って延びる反射面素子の見切り線によって隠されて目立たない。
【００１２】
請求項４においては、請求項２または３に記載の車両用前照灯において、前記新たな有効反射面を、前記リフレクターユニットの上面壁または/および下面壁に前記左右のリフレクター分割体間接合部と交差するように設けた、前記光源の直射光を所定方向に反射する一次反射面と、前記リフレクターの側面壁に設けた、前記一次反射面を介し導かれた光を所定方向に配光する二次反射面とからなる第１の付加有効反射面で構成するようにした。
（作用）従来では配光を形成するために利用されていないリフレクターユニット上面壁または/および下面壁での反射光が、上面壁または/および下面壁に設けた一次反射面と側面壁に設けた二次反射面とからなる第１の付加有効反射面によって、前照灯の配光を改善する上で有効な所定方向に向かう光となる。
【００１３】
また、第１の付加有効反射面を構成する一次反射面は、リフレクター分割体における接合部位置において左右に分離された形態となる（左右に延在する一次反射面を横切るようにリフレクターが左右に二分割されている）ので、リフレクター分割体を成形する際には、リフレクター分割体と金型とを側方（図１１矢印Ａ方向）に離型させることで、一次反射面がアンダーカットとなることはないし、リフレクターユニットの側面壁に設けた二次反射面がアンダーカットとなることもない。
【００１４】
請求項５においては、請求項４記載の車両用前照灯において、前記二次反射面を、前記リフレクターにおける、前記光源近傍に設けたカットライン形成用遮光部の影が投影される領域に設けるように構成した。
（作用）例えば、すれ違いビーム形成用のヘッドランプでは、すれ違いビームのクリアカットラインを形成するために、光源の周りにクリアカットライン形成用の遮光シェードを設けたり、光源を構成する放電バルブのシュラウドガラスの外周面にクリアカットライン形成用のピンストライプを設けることが一般的であり、光源からリフレクターユニットの有効反射面に向かう光の一部が遮光シェードの脚やピンストライプによって遮光されて、これら（遮光シェードの脚やピンストライプ）の影が有効反射面に投影されるため、従来では有効反射面全体が十分に活用されているといえないが、請求項５では、有効反射面として形成されてはいてもこれらの影が投影されるため有効反射面として機能しない領域に設けた二次反射面によって、一次反射面を介して導かれた光源光が前照灯の配光を改善する上で有効な所定方向に向かう光となる。
【００１５】
なお、二次反射面には一次反射面で反射されて導かれる光以外の光は導かれないため、影となる領域に二次反射面を設けることがグレア光の発生につながることもない。
【００１６】
請求項６においては、請求項１〜５のいずれかに記載の車両用前照灯において、  前記新たな有効反射面を、前記光源の側方から前方にかけて前記リフレクターユニットの前面開口部左右幅を狭める方向に湾曲して延出する該リフレクターユニットの左右の側縁領域に設けた第２の付加有効反射面で構成するようにした。
（作用）リフレクターユニットの有効反射面の面積および左右方向の立体角が増える分、灯具の配光量が増加するとともに照射範囲が左右方向に拡大する。
特に、リフレクターユニットにおける光源より略上半分の領域が配光形成用の有効反射面として機能するすれ違いビーム形成用の前照灯において、該有効反射面における左右方向中央部を中拡散光形成用の反射面とし、その左右外側をクリアカットライン形成用の反射面とし、さらにその左右外側であるリフレクターユニットの左右の側縁領域（第２の付加有効反射面）を大拡散光形成用の反射面として構成した場合には、前照灯の配光量が大幅にアップするとともに、配光パターンが左右方向に大きく拡大する。
【００１７】
また、リフレクターユニットは、左右一対のリフレクター分割体における接合部位置において左右に分離された形態となるので、リフレクター分割体を成形する際には、リフレクター分割体と金型とを側方（図１１矢印Ａ方向）に離型させることで、リフレクター（リフレクター分割体）の側面壁に設けた第２の付加有効反射面がアンダーカットとなることはない。
【発明の効果】
【００１８】
請求項１に係る車両用前照灯によれば、成形の際にアンダーカットとならない一対（左右一対）のリフレクター分割体を接合一体化したリフレクターユニットでリフレクターを構成することで、リフレクター全体を成形する際のアンダーカットとなるため従来ではリフレクターに設けることができなかった付加有効反射面を積極的に設けることができるので、従来では実現できなかった所望の配光をもつ車両用前照灯が提供される。
【００１９】
請求項２によれば、リフレクター分割体の接合部がカットライン形成用の有効反射面領域にこないので、鮮明なカットラインの配光が得られる車両用前照灯が提供される。
【００２０】
請求項３によれば、リフレクター（リフレクターユニット）におけるリフレクター分割体間の接合部が全く目立たないので、単一のリフレクターを備えた前照灯と全く遜色のない外観上良好な見栄えが得られる。
【００２１】
請求項４によれば、従来では配光の形成に全く利用されていなかったリフレクターの上面壁または/および下面壁での反射光が付加された有効反射面により有効に利用されて、所望の改善された配光をもつ車両用前照灯が提供される。
【００２２】
請求項５によれば、従来では影となるため有効反射面として機能しなかった部位に付加された有効反射面（二次反射面）により、所望の配光をもつ車両用前照灯が提供される。
【００２３】
請求項６によれば、従来では配光の形成に有効に利用されているとはいえないリフレクターの側面壁での反射光が同側面壁に付加された有効反射面により有効に利用されて、大光量にして照射範囲が左右方向に広範囲の配光をもつ車両用前照灯が提供される。
【発明を実施するための最良の形態】
【００２４】
次に、本発明の実施の形態を実施例に基づいて説明する。
【００２５】
図１〜図１１は本発明の第１の実施例を示すもので、図１は本発明の第１の実施例である自動車用前照灯の正面図、図２は同前照灯の縦断面図（図１に示す線ＩＩ−ＩＩに沿う断面図）、図３は同前照灯の光源である放電バルブの縦断面図、図４は放電バルブの横断面図で、クリアカットライン形成用のピンストライプを示す図（図３に示す線ＩＶ−ＩＶに沿う断面図）、図５は遮光シェードの斜視図、図６はリフレクターの正面図、図７はリフレクターの縦断面図（図６に示す線ＶＩＩ−ＶＩＩに沿う断面図）、図８はリフレクターの水平断面図で、（ａ）はリフレクターの主たる有効反射面の反射光の光路を示す図、（ｂ）はリフレクターの付加された有効反射面の反射光の光路を示す図、図９は第１の付加有効反射面の反射光の光路を示す斜視図で、（ａ）は下側付加有効反射面の反射光の光路を示す斜視図、（ｂ）は上側付加有効反射面の反射光の光路を示す斜視図、図１０は同前照灯の配光パターンを示す図、図１１はリフレクターを構成する左右のリフレクター分割体の斜視図である。
【００２６】
これらの図、特に図１，２において、符号１０は、本発明の第１の実施例である自動車用前照灯で、ランプボディ１１と透明レンズカバー１２により画成された灯室Ｓ内には、光源である放電バルブ２０と遮光シェード１５をリフレクター１４に一体化した光源ユニットＵが収容されて、図１０に示すすれ違いビーム形成用の配光パターンＰＡ（ＰＡ１〜ＰＡ５）が形成されるように構成されている。また、ランプボディ１１と光源ユニットＵ（リフレクター１４）間には、図示しないエイミング機構が介装されて、光源ユニットＵの光軸（前照灯の光軸）Ｌを上下左右方向に傾動調整（図１０に示す配光パターンＰＡを上下左右方向に調整）できるように構成されている。符号１３は、レンズカバー１２に沿って配設されて、リフレクター１４を取り囲むように延在する枠型のエクステンションリフレクターで、その表面にはリフレクター１４と同様の表面アルミ蒸着処理が施されて、灯室Ｓ内全体を鏡面色に見せるようになっている。
【００２７】
放電バルブ２０は、図３に拡大して示すように、アークチューブ３にＵＶカット作用のある円筒形状シュラウドガラス管５を溶着一体化したアークチューブ本体２が、合成樹脂製絶縁性ベース７に組み付け一体化されて、前方に延出する形態に固定保持されている。具体的には、アークチューブ本体２の後端側が絶縁性ベース７の前面側に金具６ａを介して把持固定され、アークチューブ本体２の前端側が絶縁性ベース７から延出する通電路でもあるリードサポート６ｂで支持されている。そして、放電バルブ２０は、リフレクター１４の後頂部に設けられたバルブ挿着孔Ｈに挿着されて、光源ユニットＵとして一体化されている。符号１８は、ランプボディ１１の底面に取着されたバラスト回路（図示せず）から延びる給電ケーブル１８接続用のコネクタ１９である。
【００２８】
アークチューブ３は、その両端部がピンチシールされて長手方向略中央部に発光物質（金属ハロゲン化物等）や水銀に代わる緩衝物質等を始動用希ガスとともに封入しかつ電極４，４を対設した密閉ガラス球３ａが形成された構造（水銀を封入しない水銀フリーアークチューブ）で、対向電極４，４間のアーク放電により発光する。アークチューブ３に溶着一体化された円筒形状のシュラウドガラス管５の外側面には、図１０に示すように、リフレクター１４の主たる有効反射面１４ａ，１４ｂ（光軸Ｌ位置より上側の有効反射面１４ａと下側の有効反射面１４ｂ、図６参照）に向かう光の一部を遮って鮮明なクリアカットラインＣＬ（１５度カットラインＣＬ１および水平カットラインＣＬ２、図１０参照）を形成するためのピンストライプと称される遮光膜５ａ，５ｂ（図４参照）が設けられている。なお、図４における符号ａは、電極４，４間に生成された放電アークである。
【００２９】
また、アークチューブ３の周りには、前方への直射光やリフレクター１４の有効反射面１４ａ，１４ｂ以外に向かう光を遮光するための金属製の遮光シェード１５（図１，２，５参照）が設けられている。即ち、遮光シェード１５は、図２，４に示すように、前方への直射光を遮る前端側の遮光キャップ１５ａと、リフレクター１４の有効反射面１４ａ，１４ｂ以外の領域に向かう光を遮る中央の遮光円筒部１５ｂと、リフレクター１４への取着部である後端側の脚部１５ｃで構成されている。そして、脚部１５ｃをリフレクター１４に固定することで、リフレクター１４の有効反射面１４ａ，１４ｂと放電バルブ２０の放電中心Ｃおよび遮光部（ピンストライプ）５ａ，５ｂに対して位置決めされた形態となる。
【００３０】
遮光円筒部１５ｂは、先端側の幅狭円環部１５ｂ１と基端部側の幅狭円環部１５ｂ２間に一対の脚部１５ｃ，１５ｃが延在する枠型に構成されて、リフレクター１４の上下の有効反射面１４ａ，１４ｂにそれぞれ対応する上下の開口部１５ｄ１，１５ｄ２が画成されている。そして、図２に示すように、放電発光部である密閉ガラス球３ａの発光が遮光シェード１５の開口部１５ｄ１，１５ｄ２を介してリフレクター１４の上下の有効反射面１４ａ，１４ｂにそれぞれ導かれて、上側の有効反射面１４ａで反射された光Ｌ１により形成されるクリアカットラインＣＬ（１５度カットラインＣＬ１および水平カットラインＣＬ２）をもつ左右に大きく拡散された配光パターンと、下側の有効反射面１４ｂで反射された光Ｌ２により形成される同じく左右に大きく拡散された配光パターン（クリアカットラインＣＬの部分を除いて上側の有効反射面１４ａにより形成される配光パターンと略同じ配光パターン）が合成されて、すれ違いビームの配光パターンＰＡの主要部が形成される。
【００３１】
なお、遮光シェード１５がリフレクター１４に固定されて光源ユニットＵとして一体化されたときに、開口部１５ｄ１の左右の側縁（脚部１５ｃ，１５ｃの上側縁部１５ｃ１，１５ｃ２は、シュラウドガラス管５の外側面に設けられているクリアカットラインＣＬ（１５度カットラインＣＬ１および水平カットラインＣＬ２）形成用の遮光膜（ピンストライプ）５ａ，５ｂに整合する位置に配置される形態となって、クリアカットラインＣＬ（１５度カットラインＣＬ１および水平カットラインＣＬ２）を鮮明にするべく機能する。
【００３２】
また、リフレクター１４は、図８に示すように、従来のリフレクター４０（図１３（ｂ）参照）に比べてその左右の側縁部が前面開口部の左右幅を狭める方向に湾曲して光源２０の前方に大きく延出する構成とされて、有効反射面１４ａ，１４ｂの左右方向の面積および左右方向の立体角θが大きく設定されることで、大光量でしかも左右方向に拡大された配光パターン（図１０参照）ＰＡの主要部が形成されるようになっている。なお、有効反射面１４ａ，１４ｂは、図１，２に示すように、上下方向には略平行光を形成し、左右方向には必要に応じて拡散光を形成する複数の曲率の異なる有効反射面素子１４ａ１，１４ｂ１でそれぞれ構成されている。
【００３３】
具体的には、有効反射面１４ａ，１４ｂは、図６，８に示すように、その左右方向中央部付近に設けた中拡散光形成領域１４ａ−１，１４ｂ−１と、その左右外側に設けたクリアカットライン（集束光）形成領域１４ａ−２，１４ｂ−２と、さらにその左右外側であるリフレクターの左右の側縁領域に設けた大拡散光形成領域１４ａ−３，１４ｂ−３で構成されている。そして、図１０に示されるように、中拡散光形成領域１４ａ−１，１４ｂ−１での反射光Ｌ１１，Ｌ２１により中拡散配光パターンＰＡ１が形成され、クリアカットライン（集束光）形成領域１４ａ−２，１４ｂ−２での反射光Ｌ１２，Ｌ２２によりクリアカットラインＣＬ(ＣＬ１，ＣＬ２)に沿った配光パターンＰＡ２が形成され、大拡散光形成領域１４ａ−３，１４ｂ−３での反射光Ｌ１３，Ｌ２３により大拡散配光パターンＰＡ３が形成される。即ち、リフレクター１４には、従来のリフレクター４０（図１３（ｂ）参照）に比べると、バルブ２０の前方に大きく廻り込む大拡散光形成領域１４ａ−３，１４ｂ−３が第２の付加有効反射面として新たに設けられて、大光量にして左右方向に拡大された配光パターンＰＡの主要部が形成される。
【００３４】
さらに、図７および図９（ａ），（ｂ）に示すように、リフレクター１４の上面壁および下面壁には、バルブ２０の発光（直射光）を光軸Ｌを横切る斜め下方（上方）に反射する付加有効反射面である左右一対の一次反射面１４ｃ，１４ｃ；１４ｄ，１４ｄが設けられ、リフレクター１４の左右の側面壁には、一次反射面１４ｃ，１４ｃ；１４ｄ，１４ｄを介してそれぞれ導かれた光をそれぞれ所定方向に配光する付加有効反射面である左右一対の二次反射面１４ｅ，１４ｅ；１４ｆ，１４ｆが設けられている。
【００３５】
具体的には、リフレクター１４の上面壁の一次反射面１４ｃ，１４ｃと側面壁の二次反射面１４ｅ，１４ｅを経た光は、図９（ｂ）に示すように、光軸Ｌに対し側方に大きく傾斜する斜め下向きの光Ｌ４となって、配光パターンＰＡ３下方の左右方向外側を照明する図１０符号ＰＡ４で示す配光パターンが形成される。また、リフレクター１４の下面壁の一次反射面１４ｄ，１４ｄと側面壁の二次反射面１４ｆ，１４ｆを経た光は、図９（ａ）に示すように、光軸Ｌに対し側方に傾斜する斜め下向きの光Ｌ５となって、配光パターンＰＡ３下方の左右方向外側寄りを照明する図１０符号ＰＡ５で示す配光パターンが形成される。そして、主たる有効反射面１４ａ，１４ｂおよび付加反射面１４ｃ，１４ｅ；１４ｄ，１４ｆによってそれぞれ形成される配光パターンＰＡ１〜ＰＡ５が合成されることで、すれ違いビームの配光パターンＰＡが形成される。
【００３６】
なお、リフレクター１４の左右の側面壁に設けられている二次反射面１４ｅ，１４ｅ；１４ｆ，１４ｆは、下側有効反射面１４ｂ内ではあるが、光源直射光が導かれない部位に設けられて、この二次反射面１４ｅ，１４ｅ；１４ｆ，１４ｆを設けることがグレア光の発生につながることもない。即ち、二次反射面１４ｅ，１４ｅ；１４ｆ，１４ｆは、下側有効反射面１４ｂにおける、放電バルブ２０のシュラウドガラス間５の外側面に設けたクリアカットライン形成用のピンストライプ５ａ，５ｂや遮光シェード１５のクリアカットライン形成用の脚部１５ｃによって遮光されて影Ｂが投影される領域（図１０において斜線で示す領域）に設けられているので、二次反射面１４ｅ，１４ｅ；１４ｆ，１４ｆには一次反射面１４ｃ，１４ｃ；１４ｄ，１４ｄから導かれる光以外の光が導かれることはなく、二次反射面１４ｅ，１４ｅ；１４ｆ，１４ｆによってグレア光が発生するおそれは全くない。
【００３７】
また、リフレクター１４の左右の側縁部内側に設けられている付加有効反射面（大拡散光形成領域１４ａ−３，１４ｂ−３）やリフレクター１４の上面壁および下面壁に設けられている付加有効反射面（凹部である一次反射面１４ｃ，１４ｃ；１４ｄ，１４ｄ）やリフレクター１４の左右の側面壁に設けられている付加有効反射面（凸部である二次反射面１４ｅ，１４ｅ；１４ｆ，１４ｆ）は、リフレクター１４全体を成形する際の離型方向であるリフレクター１４前後方向（光軸Ｌに沿った方向、図７の左右方向、図８の上下方向）に対してアンダーカットとなってリフレクター１４の成形が困難である。しかし、本実施例におけるリフレクター１４は、図１１に示すように、一次反射面１４ｃ，１４ｄおよび二次反射面１４ｅ，１４ｆを横切るように左右に二分割された一対のリフレクター分割体１４０Ｌ，１４０Ｒを突き合わせて溶着その他の接合手段によって接合一体化したリフレクターユニット１４０Ｕとして構成されている。換言すれば、リフレクター１４は、リフレクター１４の上面壁および下面壁に設けた一次反射面１４ｃ，１４ｄを横切る方向にリフレクター１４を二分割した左右一対のリフレクター分割体１４０Ｌ，１４０Ｒの接合体（リフレクターユニット１４０Ｕ）で構成されている。
【００３８】
このため、左右一対のリフレクター分割体１４０Ｌ，１４０Ｒをそれぞれ成形する際には、リフレクター分割体１４０Ｌ，１４０Ｒと金型とを側方（図１１矢印Ａ方向）に離型させることで、それぞれの付加有効反射面（１４ａ−３，１４ｂ−３；１４ｃ，１４ｄ；１４ｅ，１４ｆ）はアンダーカットとならず、リフレクター分割体１４０Ｌ，１４０Ｒを簡単に成形することができる。
【００３９】
また、リフレクター１４（リフレクターユニット１４０Ｕ）は、左右一対のリフレクター分割体１４０Ｌ，１４０Ｒを分割位置で突き合わせ、溶着その他の接合手段によってリフレクターユニット１４０Ｕとして接合一体化した後に、表面アルミ蒸着処理が施されるので、平滑なアルミ蒸着膜で被覆された左右のリフレクター分割体１４０Ｌ，１４０Ｒの接合部がリフレクター１４の有効反射面１４ａ．１４ｂとしての機能を損う（所定の配光の形成を乱す）こともない。
【００４０】
特に、左右のリフレクター分割体１４０Ｌ，１４０Ｒ間の接合部位置には、左右に隣接する有効反射面素子１４ａ１，１４ａ１（１４ｂ１，１４ｂ１）の見切り線１４ａｂ（図６参照）が一致して設けられているため、左右のリフレクター分割体１４０Ｌ，１４０Ｒの接合部がリフレクター１４の有効反射面１４ａ．１４ｂとしての機能や見栄えが損なわれるおそれは全くない。
【００４１】
なお、前記した実施例では、放電バルブ２０のシュラウドガラス管５に設けた遮光膜（ピンストライプ）５ａ，５ｂおよび遮光シェード１５の脚部１５ｃによって配光パターンＰＡにおけるクリアカットラインが形成される（リフレクター１４の下側の有効反射面１４ｂにピンストライプ５ａ，５ｂおよび遮光シェード１５の脚部１５ｃの影が投影される）ように構成されているが、ピンストライプ５ａ，５ｂまたは遮光シェード１５の脚部１５ｃのいずれか一方だけでクリアカットラインを形成する構造であってもよい。
【００４２】
また、前記した実施例のリフレクター１４には、上側および下側の有効反射面１４ａ，１４ｂが設けられるとともに、放電バルブ２０ではシュラウドガラス管５に設けた遮光膜（ピンストライプ）５ａ，５ｂによって画成されたシュラウドガラス管５の上方および下方にそれぞれ光源光が導かれ、遮光シェード１５では脚部１５ｃによって画成された上側開口部１５ｄ１および下側開口部１５ｄ２を介してそれぞれ光源光が導かれて、上側有効反射面１４ａおよび下側有効反射面１４ｂの双方が主たる有効反射面として作用するように構成されているが、ピンストライプ５ａ，５ｂを含むシュラウドガラス管５の下側全体に遮光膜を形成したり、脚部１５ｃを含む遮光シェード１５の下側全域に遮光部を形成して、放電発光部から下側有効反射面１４ｂに向かう光を遮光して上側有効反射面１４ａだけが主たる有効反射面として作用するように構成されていてもよい。
【００４３】
また、前記した実施例では、光源が放電バルブ２０で構成されているが、放電バルブ２０に代えて、フィラメントを内蔵するハロゲンバルブや白熱バルブを光源として用いてもよい。
【図面の簡単な説明】
【００４４】
【図１】本発明の第１の実施例である自動車用前照灯の正面図である。
【図２】同前照灯の縦断面図（図１に示す線ＩＩ−ＩＩに沿う断面図）である。
【図３】同前照灯の光源である放電バルブの縦断面図である。
【図４】放電バルブの横断面図で、クリアカットライン形成用のピンストライプを示す図（図３に示す線ＩＶ−ＩＶに沿う断面図）である。
【図５】遮光シェードの斜視図である。
【図６】リフレクターの正面図である。
【図７】リフレクターの縦断面図（図６に示す線ＶＩＩ−ＶＩＩに沿う断面図）である。
【図８】リフレクターの水平断面図で、（ａ）はリフレクターの主たる有効反射面の反射光の光路を示す図、（ｂ）はリフレクターの付加された有効反射面の反射光の光路を示す図である。
【図９】第１の付加有効反射面の反射光の光路を示す斜視図で、（ａ）は下側付加有効反射面の反射光の光路を示す斜視図、（ｂ）は上側付加有効反射面の反射光の光路を示す斜視図である。
【図１０】同前照灯の配光パターンを示す図である。
【図１１】リフレクターを構成する左右のリフレクター分割体の斜視図である。
【図１２】従来の車両用前照灯の縦断面図である。
【図１３】（ａ）従来のリフレクターの非有効反射面に有効反射面を付加した第１の態様を示す図である。（ｂ）従来のリフレクターの非有効反射面に有効反射面を付加した第２の態様を示す図である。
【符号の説明】
【００４５】
２  アークチューブ本体
３  アークチューブ
３ａ  放電発光部である密閉ガラス球
４  電極
５  シュラウドガラス管
５ａ，５ｂ  クリアカットライン形成用遮光部である遮光膜（ピンストライプ）
１１  ランプボディ
１２  前面カバー
Ｓ  灯室
１４  リフレクター
Ｈ  バルブ挿着孔
Ｃ  光源中心
Ｌ  光軸
１４ａ  上側有効反射面
１４ｂ  下側有効反射面
１４ａ−１，１４ｂ−１  有効反射面の中拡散領域
１４ａ−２，１４ｂ−２  有効反射面のクリアカットライン形成領域
１４ａ−３，１４ｂ−３  有効反射面の大拡散領域（アンダーカット部となる第２の付加有効反射面）
１４ａ１，１４ｂ２  有効反射面を構成する反射面素子
１４ｃ，１４ｄ  アンダーカット部となる第１の付加有効反射面（一次反射面）
１４ｅ，１４ｆ  アンダーカット部となる第１の付加有効反射面（二次反射面）
１５  クリアカットライン形成用の遮光シェード
１５ｃ  クリアカットライン形成用の遮光部である遮光シェードの脚部
Ｂ  下側有効反射面に現れる影
２０  光源である放電バルブ
Ｌ１  上側有効反射面での反射光
Ｌ２  下側有効反射面での反射光
Ｌ１１（Ｌ２１）  有効反射面の中拡散領域での反射光
Ｌ１２（Ｌ２２）  有効反射面のクリアカットライン形成領域での反射光
Ｌ１３（Ｌ２３）  有効反射面の大拡散領域（第２の付加有効反射面）での反射光
Ｌ４  リフレクターの上面壁および側面壁に設けた第１の付加有効反射面での反射光
Ｌ５  リフレクターの下面壁および側面壁に設けた第１の付加有効反射面での反射光
ＰＡ  すれ違いビームの配光パターン
ＣＬ（ＣＬ１，ＣＬ２）  クリアカットライン
ＰＡ１  有効反射面の中拡散光形成領域により形成される配光パターン
ＰＡ２  有効反射面のカットライン形成領域により形成される配光パターン
ＰＡ３  有効反射面の大拡散光形成領域（第２の付加有効反射面）により形成される配光パターン
ＰＡ４  第１の付加有効反射面により形成される配光パターン
ＰＡ５  第１の付加有効反射面により形成される配光パターン
１４０Ｕ  リフレクターユニット
１４０Ｌ，１４０Ｒ  リフレクター分割体
【図１】
2006294506.tif 000003
【図２】
2006294506.tif 000004
【図３】
2006294506.tif 000005
【図４】
2006294506.tif 000006
【図５】
2006294506.tif 000007
【図６】
2006294506.tif 000008
【図７】
2006294506.tif 000009
【図８】
2006294506.tif 000010
【図９】
2006294506.tif 000011
【図１０】
2006294506.tif 000012
【図１１】
2006294506.tif 000013
【図１２】
2006294506.tif 000014
【図１３】
2006294506.tif 000015